(57)【要約】【課題】血管領域を高精度に除去することができる画像処理装置及びプログラムを提供すること。【解決手段】実施の形態の画像処理装置は、血管領域特定部と、画素値設定部とを備える。血管領域特定部は、造影しながら経時的に収集された複数のボリュームデータそれぞれについて、カーネルごとに、カーネルに含まれるボクセルそれぞれの特徴量のヒストグラムにおいて、非血管領域に相当する特徴量の範囲を特定する。画素値設定部は、カーネルに含まれるボクセルそれぞれの特徴量のうち、血管領域特定部によって特定された特徴量の範囲に含まれる特徴量を用いてカーネル内の特徴量を平滑化させる。【選択図】図１
2014079317.tif 000002
【特許請求の範囲】
【請求項１】
造影しながら経時的に収集された複数の３次元医用画像データそれぞれについて、所定の領域ごとに、当該所定の領域に含まれるボクセルそれぞれの特徴量の頻度分布において、非血管領域に相当する特徴量の範囲を特定する特定手段と、
前記所定の領域に含まれるボクセルそれぞれの特徴量のうち、前記特定手段によって特定された特徴量の範囲に含まれる特徴量を用いて前記所定の領域内の特徴量を平滑化させる特徴量設定手段と、
を備えたことを特徴とする画像処理装置。
【請求項２】
前記特定手段は、前記所定の領域に含まれるボクセルそれぞれの特徴量の頻度分布において、前記特徴量の最低値から所定の割合までの値の範囲を前記非血管領域に相当する特徴量の範囲として決定することを特徴とする請求項１に記載の画像処理装置。
【請求項３】
前記特定手段は、前記所定の領域に含まれるボクセルそれぞれの特徴量の頻度分布において、各特徴量を最低値から順に加算し、加算後の標準偏差が所定の閾値を上回る前までに加算された特徴量の値から前記最低値までの範囲を前記非血管領域に相当する特徴量の範囲として決定することを特徴とする請求項１又は２に記載の画像処理装置。
【請求項４】
前記特定手段は、複数の３次元医用画像データそれぞれについて、３次元画像データに含まれるノイズに応じて前記所定の領域のサイズを決定することを特徴とする請求項１〜３のいずれか一つに記載の画像処理装置。
【請求項５】
前記特定手段は、複数の３次元医用画像データそれぞれの撮影条件に基づいて、前記３次元画像データに含まれるノイズをそれぞれ算出することを特徴とする請求項４に記載の画像処理装置。
【請求項６】
前記特定手段は、複数の３次元医用画像データにおける任意の領域を用いて前記３次元画像データに含まれるノイズをそれぞれ算出することを特徴とする請求項４に記載の画像処理装置。
【請求項７】
前記特定手段は、複数の３次元医用画像データそれぞれに含まれる水ファントムの領域を用いて前記３次元画像データに含まれるノイズをそれぞれ算出することを特徴とする請求項４に記載の画像処理装置。
【請求項８】
造影しながら経時的に収集された複数の３次元医用画像データそれぞれについて、所定の領域ごとに、当該所定の領域に含まれるボクセルそれぞれの特徴量の頻度分布において、非血管領域に相当する特徴量の範囲を特定する特定手順と、
前記所定の領域に含まれるボクセルそれぞれの特徴量のうち、前記特定手順によって特定された特徴量の範囲に含まれる特徴量を用いて前記所定の領域内の特徴量を平滑化させる特徴量設定手順と、
をコンピュータに実行させることを特徴とするプログラム。
【発明の詳細な説明】
【技術分野】
【０００１】
本発明の実施の形態は、画像処理装置及びプログラムに関する。
【背景技術】
【０００２】
従来、Ｘ線ＣＴ装置やＭＲＩ装置などによって灌流（Perfusion：パーフュージョン）画像を生成して、例えば、脳組織や、肝臓組織、膵臓組織などにおける血流動態を解析することが行われている。例えば、Ｘ線ＣＴ装置においては、非イオン性ヨード造影剤を投与した被検体の頭部又は腹部を時系列に沿って撮影したＸ線ＣＴ画像からＣＴ値の経時的変化を算出する。そして、Ｘ線ＣＴ装置は、算出したＣＴ値の経時的変化から組織を通過する血流動態を表す指標を組織上にマッピングしたパーフュージョン画像を生成する。
【０００３】
ここで、パーフュージョン画像は、組織を通過する血流動態を解析対象としているため、組織内に存在している動脈、静脈などの血管領域が解析結果に影響を与えないようにするため、画像生成の過程で除去される。例えば、所定の閾値を上回る画素値を有する領域を血管領域として判定して、判定した領域の画素値を変更することで、血管領域が解析結果に影響を与えないようにする技術が知られている。しかしながら、上述した従来の技術では、血管領域の除去の精度に一定の限界があった。
【先行技術文献】
【特許文献】
【０００４】
【特許文献１】特開２００５−３１２９３７号公報
【発明の概要】
【発明が解決しようとする課題】
【０００５】
本発明が解決しようとする課題は、血管領域を高精度に除去することができる画像処理装置及びプログラムを提供することである。
【課題を解決するための手段】
【０００６】
実施の形態の画像処理装置は、特定手段と、特徴量設定手段とを備える。特定手段は、造影しながら経時的に収集された複数の３次元医用画像データそれぞれについて、所定の領域ごとに、当該所定の領域に含まれるボクセルそれぞれの特徴量の頻度分布において、非血管領域に相当する特徴量の範囲を特定する。特徴量設定手段は、前記所定の領域に含まれるボクセルそれぞれの特徴量のうち、前記特定手段によって特定された特徴量の範囲に含まれる特徴量を用いて前記所定の領域内の特徴量を平滑化させる。
【図面の簡単な説明】
【０００７】
【図１】図１は、第１の実施形態に係る画像処理装置の構成の一例を示す図である。
【図２Ａ】図２Ａは、血管領域を除去しなかった場合のパーフュージョン画像の一例を示す図である。
【図２Ｂ】図２Ｂは、従来技術に係る血管領域の特定において、体動がない場合の血管領域の特定について説明するための図である。
【図２Ｃ】図２Ｃは、従来技術に係る血管領域の特定において、体動がある場合の血管領域の特定について説明するための図である。
【図３Ａ】図３Ａは、第１の実施形態に係るノイズとＣＴ値との関係について説明するための図である。
【図３Ｂ】図３Ｂは、第１の実施形態に係るカーネルサイズとＣＴ値との関係について説明するための図である。
【図４】図４は、第１の実施形態に係るカーネルサイズ決定部による画像ＳＤの決定処理の例を説明するための図である。
【図５】図５は、第１の実施形態に係る血管領域特定部による処理の一例を説明するための図である。
【図６】図６は、第１の実施形態に係る画素値設定部による処理の一例を説明するための図である。
【図７】図７は、第１の実施形態に係る表示制御部による制御によって表示される画像例を示す図である。
【図８】図８は、第１の実施形態に係る画像処理装置による処理の手順を示すフローチャートである。
【発明を実施するための形態】
【０００８】
（第１の実施形態）
図１は、第１の実施形態に係る画像処理装置１００の構成の一例を示す図である。図１に示すように、画像処理装置１００は、入力部１１０と、表示部１２０と、通信部１３０と、記憶部１４０と、制御部１５０とを有する。例えば、画像処理装置１００は、ワークステーションや、任意のパーソナルコンピュータなどであり、図示しない医用画像診断装置や、画像保管装置などとネットワークを介して接続される。医用画像診断装置は、例えば、Ｘ線ＣＴ（Computed  Tomography）装置、ＭＲＩ（Magnetic  Resonance  Imaging）装置などである。また、医用画像診断装置は、３次元の医用画像データ（例えば、造影しながら経時的に撮影された頭部や腹部の３次元医用画像データなど）を生成可能である。画像保管装置は、医用画像を保管するデータベースである。具体的には、画像保管装置は、医用画像診断装置から送信された３次元医用画像データを記憶部に格納し、これを保管する。なお、以下では、３次元医用画像データを、ボリュームデータと記す場合がある。
【０００９】
上述した画像処理装置１００と、医用画像診断装置と、画像保管装置とは、例えば、病院内に設置された院内ＬＡＮ（Local  Area  Network）により、直接的、又は間接的に相互に通信可能な状態となっている。例えば、ＰＡＣＳ（Picture  Archiving  and  Communication  System）が導入されている場合、各装置は、ＤＩＣＯＭ（Digital  Imaging  and  Communications  in  Medicine）規格に則って、医用画像等を相互に送受信する。
【００１０】
入力部１１０は、マウス、キーボード、トラックボール等であり、画像処理装置１００に対する各種操作の入力を操作者から受け付ける。具体的には、入力部１１０は、パーフュージョン解析に用いられる複数位相のボリュームデータを画像保管装置から取得するための情報の入力などを受け付ける。例えば、入力部１１０は、パーフュージョン解析に用いるためにＸ線ＣＴ装置のダイナミックスキャンによって経時的に撮影された頭部や腹部のボリュームデータを取得するための入力を受け付ける。
【００１１】
表示部１２０は、立体表示モニタとしての液晶パネル等であり、各種情報を表示する。具体的には、表示部１２０は、操作者から各種操作を受け付けるためのＧＵＩ（Graphical  User  Interface）や、後述する制御部１５０による処理によって生成された表示画像等を表示する。なお、制御部１５０によって生成される表示画像については、後述する。通信部１３０は、ＮＩＣ（Network  Interface  Card）等であり、他の装置との間で通信を行う。
【００１２】
記憶部１４０は、図１に示すように、画像データ記憶部１４１と、画像記憶部１４２とを有する。例えば、記憶部１４０は、ハードディスク、半導体メモリ素子等であり、各種情報を記憶する。画像データ記憶部１４１は、通信部１３０を介して画像保管装置から取得された複数位相のボリュームデータを記憶する。画像記憶部１４２は、後述する制御部１５０の処理中の画像データや、処理によって生成された血管領域除去画像等を記憶する。なお、血管領域除去画像については後述する。
【００１３】
制御部１５０は、例えば、ＣＰＵ（Central  Processing  Unit）やＭＰＵ（Micro  Processing  Unit）等の電子回路、ＡＳＩＣ（Application  Specific  Integrated  Circuit）やＦＰＧＡ（Field  Programmable  Gate  Array）等の集積回路であり、画像処理装置１００の全体制御を行なう。そして、制御部１５０は、以下、詳細に説明する各部の処理により、血管領域を高精度に除去することを可能にする。
【００１４】
ここで、まず、パーフュージョン解析を実行する際の血管除去と、従来技術に係る課題について詳述する。図２Ａは、血管領域を除去しなかった場合のパーフュージョン画像の一例を示す図である。図２Ａにおいては、頭部をスキャンしたＸ線ＣＴ画像のパーフュージョン画像を示す。例えば、パーフュージョン画像において、血管除去をしなかった場合には、図２Ａの矢印に示すように、パーフュージョンの値が高い領域が現れる。これは、血流量の多い血管領域のＣＴ値に起因するものであり、このパーフュージョンの値が高い領域を病変と間違えてしまう可能性もある。従って、パーフュージョン解析を実行する場合には、血管領域を除去することで血管領域がパーフュージョン画像に影響を与えることを抑止している。
【００１５】
そこで、例えば、従来技術においては、血管領域の画素値がある時間で高くなることを利用して、任意の閾値以上になる画素領域を血管と判定して除去する技術が知られている。ここで、上述した従来技術では、体動の影響により血管が移動してしまい、注目する画素における値が想定通りに変化しないために、正確に血管領域を特定することができず、血管領域の除去に一定の限界があった。例えば、解析の対象が頭部である場合には、体動をあまり考慮する必要がなく、時系列方向に画素値を加算して血管領域を特定することができる。
【００１６】
図２Ｂは、従来技術に係る血管領域の特定において、体動がない場合の血管領域の特定について説明するための図である。図２Ｂにおいては、体動を考慮する必要がない領域（例えば、頭部など）が経時的に撮影されたＸ線ＣＴ画像における血管の座標と、その座標におけるＣＴ値の変化を示す。例えば、頭部などが撮影されたＸ線ＣＴ画像においては、図２Ｂの上側の図に示すように、時間の経過に伴って血管に造影剤が到達するが、このときのＸ線ＣＴ画像における血管の座標は、体動がないため、変化しない。すなわち、その座標のＣＴ値（ＨＵ）は、図２Ｂの下側の図に示すように、血管内を流れる造影剤の流れに応じて徐々に上昇してピークに達し、その後、徐々に低下する。このように、体動がない場合には、撮影された部分と座標との関係が位相ごとに変化しないため、座標ごとのＣＴ値から血管領域を特定することができる。
【００１７】
しかしながら、例えば、腹部では、体動や腸管などの不随意な動きがあるため、血管自体も連動して動いてしまい、正確に血管領域を特定することができない。図２Ｃは、従来技術に係る血管領域の特定において、体動がある場合の血管領域の特定について説明するための図である。図２Ｃにおいては、体動がある領域（例えば、腹部など）が経時的に撮影されたＸ線ＣＴ画像における血管の座標と、その座標におけるＣＴ値の変化を示す。例えば、腹部などが撮影されたＸ線ＣＴ画像においては、図２Ｃの上側の図に示すように、時間の経過に伴って血管に造影剤が到達するが、このときのＸ線ＣＴ画像における血管の座標は、体動などの不随意な動きによって変化してしまう。すなわち、その座標のＣＴ値（ＨＵ）は、図２Ｃの下側の図に示すように、血管内を流れる造影剤の流れを反映したものではなくなってしまう。このように、体動などの不随意な動きがある場合には、撮影された部分と座標との関係が位相ごとに変化してしまうため、座標ごとのＣＴ値から血管領域を特定することができず、血管領域の除去に一定の限界があった。
【００１８】
また、頭部においても、ビームハードニング効果によって、頭蓋骨に近い組織のＣＴ値が高くなってしまい、血管領域を正確に特定することが困難となる場合がある。さらに、従来技術では、血管を特定するための閾値が固定であるため、全脳領域の血管を適切に識別して特定することが困難である。また、被写体の大きさや画像の再構成に用いられる再構成関数によってもＣＴ値が変化する。つまり、血管と想定する領域のＣＴ値は多くの要因によって変動しうるため、そのたびに閾値を変更する手間がかかってしまう。
【００１９】
そこで、本願に係る制御部１５０は、以下、詳細に説明する各部の処理により、血管領域を高精度に除去することを可能にする。図１に戻って、制御部１５０は、例えば、画像取得部１５１と、カーネルサイズ決定部１５２と、血管領域特定部１５３と、画素値設定部１５４と、表示制御部１５５とを有する。そして、制御部１５０は、パーフュージョン解析に用いられる複数位相のボリュームデータそれぞれについて、血管領域を特定し、血管領域以外の領域のボクセルの特徴量を用いて平滑化処理を実行することで、血管領域を除去した画像を表示する。以下、複数位相のボリュームデータとして、Ｘ線ＣＴ装置によって経時的に撮影されたボリュームデータを用いる場合を一例に挙げて説明する。
【００２０】
画像取得部１５１は、通信部１３０を介して、図示しない画像保管装置からパーフュージョン解析に用いられる複数位相のボリュームデータを取得して、画像データ記憶部１４１に格納する。例えば、画像取得部１５１は、入力部１１０を介して操作者から入力された情報に基づいて、Ｘ線ＣＴ装置によって経時的に撮影されたボリュームデータを取得して、画像データ記憶部１４１に格納する。
【００２１】
カーネルサイズ決定部１５２は、後述する血管領域特定部１５３及び画素値設定部１５４によって用いられるカーネルのサイズを決定する。具体的には、カーネルサイズ決定部１５２は、後述する血管領域特定部１５３及び画素値設定部１５４が、複数のボリュームデータそれぞれについて血管領域を特定し、血管領域以外の領域のボクセルの特徴量（例えば、ＣＴ値）を用いて平滑化処理を実行するためのカーネルのサイズを決定する。
【００２２】
ここで、カーネルサイズ決定部１５２は、ボリュームデータに含まれるノイズに応じてカーネルのサイズを決定する。すなわち、カーネルサイズ決定部１５２は、ノイズの増加に伴う平滑化処理に用いられるＣＴ値の減少を抑止するために、ボリュームデータに含まれるノイズに応じたカーネルサイズを決定する。ここで、ノイズとＣＴ値との関係について説明する。図３Ａは、第１の実施形態に係るノイズとＣＴ値との関係について説明するための図である。
【００２３】
図３Ａにおいては、同一サイズのカーネルに血管領域と非血管領域が含まれ、ノイズが増加した場合のＣＴ値のとりうる範囲（以下、標準偏差（Standard  Deviation）：ＳＤと記す場合がある）を示す。図３Ａにおいては、上段にノイズの異なるＸ線ＣＴ画像を示し、下段に各Ｘ線ＣＴ画像に対応するＣＴ値の範囲を示す。また、図３Ａにおいては、上段のＸ線ＣＴ画像は、左から順にノイズが増加する場合について示す。
【００２４】
例えば、図３Ａの左側の図に示すように、ノイズが小さい場合に、血管領域２０と非血管領域（その他）１０とがとりうるＣＴ値の範囲は４０ＨＵ〜１００ＨＵであるとする。ここで、血管領域２０を示す画素に対応するボクセルのＣＴ値は、造影剤により高いＣＴ値を示すことから、１００ＨＵ側に分布する。一方、非血管領域（その他）１０を示す画素に対応するボクセルのＣＴ値は、血流量の多い血管領域よりも低いＣＴ値を示すことから、４０ＨＵ側に分布する。
【００２５】
ここで、例えば、ノイズが高い場合には、図３Ａの真ん中及び右側の図に示すように、ノイズが上昇するにつれて、血管領域と非血管領域（その他）とがとりうるＣＴ値の範囲は広くなる。例えば、図３Ａの真ん中の図に示すように、血管領域２１と非血管領域１１とがとりうるＣＴ値の範囲は、２０ＨＵ〜１２０ＨＵに広がる。同様に、さらにノイズが上昇すると、図３Ａの右側の図に示すように、血管領域２２と非血管領域１２とがとりうるＣＴ値の範囲は、０ＨＵ〜１６０ＨＵに広がる。すなわち、ノイズとＣＴ値のとりうる範囲とは比例関係にあり、ノイズの上昇に伴って、画像のＳＤが大きくなる。
【００２６】
そのため、図３Ａに示すように、非血管領域（その他）を示す画素に対応するボクセルのＣＴ値のＳＤも大きくなり、非血管領域（その他）におけるＣＴ値の平均値が低下することとなり、後述する血管領域の特定及び平滑化処理において誤差が生じてしまう。そこで、この誤差を抑制するために、カーネルサイズ決定部１５２は、ボリュームデータに含まれるノイズに応じてカーネルのサイズを変化させる。
【００２７】
図３Ｂは、第１の実施形態に係るカーネルサイズとＣＴ値との関係について説明するための図である。図３Ｂにおいては、上段に同一のノイズでサイズの異なるカーネルによって囲まれたＸ線ＣＴ画像を示す。また、図３Ｂにおいては、下段に各Ｘ線ＣＴ画像における非血管領域（その他）を示す画素に対応するボクセルのＣＴ値の分布を示す。なお、図３Ｂの下側の図において、ＣＴ値範囲は上側が高く、下側が低い。
【００２８】
例えば、図３Ｂに示すように、同一のノイズである場合には、カーネルのサイズの変化に関わらず、ＣＴ値範囲は変化せず、一定である。すなわち、画像のＳＤに変化はない。ここで、図３Ｂの左側の図に示すように、カーネルのサイズが小さい場合には、非血管領域（その他）を示す画素に対応するボクセルのＣＴ値は、サンプル数が少ないため、ＣＴ値範囲にまんべんなく分布する。従って、カーネルサイズが小さい場合には、ＣＴ値の平均値は、ＣＴ値範囲の中央付近となってしまう。すなわち、図３Ａで示したように、ノイズが少ない画像と比較すると、ＣＴ値の平均値は低下する。
【００２９】
一方、カーネルサイズを大きくして、非血管領域（その他）を示す画素に対応するボクセルのサンプル数を増加させると、図３Ｂの真ん中及び右側の図に示すように、非血管領域（その他）を示す画素に対応するボクセルの真のＣＴ値を反映した値に分布が集中することとなり、真の平均値に近い平均値が算出されることとなる。すなわち、カーネルサイズ決定部１５２は、ノイズが高い場合にカーネルサイズを大きくすることによって、ＣＴ値の平均値の低下を抑止する。
【００３０】
上述したように、カーネルサイズ決定部１５２は、ノイズ（画像のＳＤ）に応じたカーネルサイズを決定する。具体的には、カーネルサイズ決定部１５２は、記憶部１４０に予め記憶されたノイズ（画像のＳＤ）とカーネルサイズとが対応付けられたカーネルサイズ情報を用いてカーネルサイズを決定する。なお、カーネルサイズ情報は、ユーザなどにより画像のＳＤとカーネルサイズとが任意に対応付けられ、記憶部１４０に格納される。
【００３１】
ここで、カーネルサイズ決定部１５２は、ボリュームデータに含まれる情報を用いて画像のＳＤを算出し、カーネルサイズ情報を参照して、算出した画像のＳＤに対応するカーネルサイズを抽出し、抽出したカーネルサイズを当該ボリュームデータに対する処理に用いるカーネルのサイズとして決定する。
【００３２】
例えば、カーネルサイズ決定部１５２は、以下で説明する３つの手法によりボリュームデータごとの画像ＳＤを算出する。図４は、第１の実施形態に係るカーネルサイズ決定部１５２による画像ＳＤの決定処理の例を説明するための図である。図４に示す３つの手法は、ユーザによって任意に選択されて実行される。以下、各手法について、順に説明する。
【００３３】
まず、第１の手法について説明する。第１の手法では、カーネルサイズ決定部１５２は、複数のボリュームデータそれぞれの撮影条件に基づいて、ボリュームデータに含まれるノイズをそれぞれ算出する。例えば、カーネルサイズ決定部１５２は、図４の左側の図に示すように、画像撮影時のｍＡｓ（単位時間あたりの管電流）を参照して、画像ＳＤを算出する。ここで、図４に示すように、画像ＳＤとｍＡｓは相関関係にあり、この関係を示すデータが予め記憶部１４０に格納される。
【００３４】
例えば、カーネルサイズ決定部１５２は、記憶部１４０に記憶された画像ＳＤとｍＡｓとの関係を示すデータを参照して、ボリュームデータから生成される画像の画像ＳＤを算出する。パーフュージョン解析においては、スキャンの途中でｍＡｓが変更される場合がある（例えば、２０  Phaseのスキャンのうち、後半のスキャンを前半の半分のｍＡｓで実行する場合がある）。上記した手法を用いることにより、このような場合にも容易に対応することが可能となる。
【００３５】
次に、第２の手法について説明する。第２の手法では、カーネルサイズ決定部１５２は、複数のボリュームデータにおける任意の領域を用いてボリュームデータに含まれるノイズをそれぞれ算出する。例えば、カーネルサイズ決定部１５２は、図４の真ん中の図に示すように、画像を参照して、画像ＳＤを算出する。一例を挙げると、カーネルサイズ決定部１５２は、パーフュージョン解析に用いられる画像上にユーザによって任意に設定されたＲＯＩ（Region  of  Interest）に含まれる画素値（或いは、画素に対応するボクセルのＣＴ値）から画像ＳＤを算出する。
【００３６】
上述した手法を用いた場合には、各位相の画像ＳＤの変化からカーネルサイズを変化させてもよい。すなわち、最初の位相の画像ＳＤによってその後の位相の画像ＳＤを正規化し、正規化した倍率によってカーネルサイズを変更する場合であってもよい。例えば、カーネルサイズ決定部１５２は、最初の位相の画像について、算出した画像ＳＤとカーネルサイズ情報とからカーネルサイズを決定する。そして、カーネルサイズ決定部１５２は、次の位相の画像ＳＤを最初の位相の画像ＳＤで除算した値を算出する。その後、カーネルサイズ決定部１５２は、算出した値を最初の位相のカーネルサイズに乗算して得られたサイズを次の位相の画像におけるカーネルサイズとして決定する。カーネルサイズ決定部１５２は、その後の位相の画像について、上述した手法により順にカーネルサイズを決定する。
【００３７】
次に、第３の手法について説明する。第３の手法では、カーネルサイズ決定部１５２は、複数のボリュームデータそれぞれに含まれる水ファントムの領域を用いてボリュームデータに含まれるノイズをそれぞれ算出する。例えば、カーネルサイズ決定部１５２は、図４の右側の図に示すように、水ファントム画像を参照して、画像ＳＤを算出する。一例を挙げると、まず、画像撮影時にＦＯＶ内に水ファントムを設置して画像が撮影される。カーネルサイズ決定部１５２は、撮影された画像内の水ファントム領域に設定されたＲＯＩの画像ＳＤを算出する。その後、カーネルサイズ決定部１５２は、上述した第２の手法と同様の処理を実行することで、各位相のボリュームデータ（画像）におけるカーネルサイズを決定する。
【００３８】
なお、上述した３つの手法は、ユーザによって任意に選択されて用いられるが、第３の手法では、水ファントムを用いて画像ＳＤを算出していることから、精度の高い処理を行うことができる。従って、高精度の処理が求められる場合には、第３の手法が用いられることが望ましい。
【００３９】
図１に戻って、血管領域特定部１５３は、造影しながら経時的に収集された複数のボリュームデータそれぞれについて、所定の領域ごとに、当該所定の領域に含まれるボクセルそれぞれの特徴量の頻度分布において、非血管領域に相当する特徴量の範囲を特定する。具体的には、血管領域特定部１５３は、カーネルサイズ決定部１５２によって決定されたサイズのカーネルを用いて、カーネルに含まれるボクセルそれぞれの特徴量の頻度分布において、特徴量の最低値から所定の割合までの値の範囲を非血管領域に相当する特徴量の範囲として決定する。
【００４０】
また、血管領域特定部１５３は、カーネルサイズ決定部１５２によって決定されたサイズのカーネルを用いて、カーネルに含まれるボクセルそれぞれの特徴量の頻度分布において、各特徴量を最低値から順に加算し、加算後の標準偏差が所定の閾値を上回る前までに加算された特徴量の値から最低値までの範囲を非血管領域に相当する特徴量の範囲として決定する。
【００４１】
図５は、第１の実施形態に係る血管領域特定部１５３による処理の一例を説明するための図である。図５においては、各ボリュームデータから生成されるＸ線ＣＴ画像を表示部１２０に表示する場合の各画素を丸で示す。また、図５においては、カーネルサイズ決定部１５２によってカーネルのサイズが「３×３」に決定された場合の例について示す。
【００４２】
例えば、図５の（Ａ）に示すように、カーネルサイズ決定部１５２によって、カーネルのサイズが「３×３」に決定されると、血管領域特定部１５３は、決定された「３×３」のカーネルに含まれる非血管領域（血管領域）を、図５の（Ｂ）に示す２つの手法を用いて特定する。なお、２つの手法はそれぞれ単独で用いてもよく、或いは、２つの手法を組み合わせて用いてもよい。
【００４３】
まず、第１の手法について説明する。例えば、血管領域特定部１５３は、図５の（Ｂ）の左側に示すように、カーネルに含まれる９つの画素について対応するＣＴ値のヒストグラムを生成し、生成したヒストグラムにおいて下位の任意％に含まれるＣＴ値を、組織を示すＣＴ値として特定する。すなわち、血管領域特定部１５３は、ＣＴ値のヒストグラムにおいて下位から任意％の範囲を非血管領域の範囲として特定し、それ以上の範囲を血管領域の範囲として決定する。
【００４４】
血管領域特定部１５３は、カーネルを１画素分ずつずらしながら、カーネルに含まれる画素に対応するＣＴ値のヒストグラムをそれぞれ生成して、各位置のカーネルにおける非血管領域の範囲を特定する。
【００４５】
次に、第２の手法について説明する。例えば、血管領域特定部１５３は、図５の（Ｂ）の右側に示すように、ヒストグラムを生成した後に、下位のＣＴ値から順に加算処理と、標準偏差の算出を行う。そして、血管領域特定部１５３は、標準偏差が急激に大きくなる地点を特定して、それ以下を非血管領域として特定する。なお、図５の（Ｂ）の右側の図においては、横軸に標準偏差の算出回数を示し、縦軸に標準偏差を示す。
【００４６】
すなわち、血管領域特定部１５３は、下位からＣＴ値を加算して、そのときの標準偏差を算出して、１回前の標準偏差と差分処理を実行する。ここで、差分した値が所定の閾値を上回った場合に、血管領域特定部１５３は、標準偏差が急激に大きくなったと判定する。そして、血管領域特定部１５３は、標準偏差が急激に大きくなったと判定した加算処理の１回前に加算されたＣＴ値から最下位のＣＴ値までの範囲を非血管領域（例えば、組織など）に対応するＣＴ値の範囲であると特定する。これは、図５の（Ａ）にも示すように、非血管領域（組織）に対応するＣＴ値の分布と、血管領域に対応するＣＴ値の分布とがそれぞれのピークで分かれており、加算処理において血管領域に対応するＣＴ値の加算を開始した場合に、標準偏差が急激に大きくなることを利用した特定手法である。
【００４７】
上述した処理についても、血管領域特定部１５３は、カーネルを１画素分ずつずらしながら、カーネルに含まれる画素に対応するＣＴ値のヒストグラムをそれぞれ生成して、加算処理と標準偏差の判定を行い、各位置のカーネルにおける非血管領域の範囲を特定する。
【００４８】
ここで、第１の実施形態に係る血管領域特定部１５３は、上述した第１の手法及び第２の手法を組み合わせて用いることが可能である。例えば、血管領域特定部１５３は、まず、第１の手法によって非血管領域の特定を行う。このとき、血管領域特定部１５３は、同時にヒストグラムにおける分布を解析してピークが明確に２つ存在するか否かを判定する。ここで、ピークが明確に２つ存在しない場合に、血管領域特定部１５３は、手法を第２の手法に切替え、第２の手法によって非血管領域の特定を行うようにする。
【００４９】
なお、上述した第１の手法における下位からの任意の％、及び、第２の手法における閾値は、ユーザによって任意に設定することが可能である。例えば、解析する対象となる組織（頭部の組織や、腹部の組織など）ごとに、下位からの任意の％、閾値を設定するようにしてもよい。
【００５０】
図１に戻って、画素値設定部１５４は、所定の領域に含まれるボクセルそれぞれの特徴量のうち、血管領域特定部１５３によって特定された特徴量の範囲に含まれる特徴量を用いて所定の領域内の特徴量を平滑化させる。具体的には、画素値設定部１５４は、血管領域特定部１５３によってカーネルごとに特定された非血管領域に対応するＣＴ値の範囲に含まれるＣＴ値の平均値を当該カーネルの中心の画素のＣＴ値として設定する。
【００５１】
図６は、第１の実施形態に係る画素値設定部１５４による処理の一例を説明するための図である。図６においては、図５に示す大きさ「３×３」のカーネルを用いて非血管領域が決定された場合の画素値設定部１５４による処理を示す。例えば、画素値設定部１５４は、図６の上側に示すように、カーネルで囲まれた９つの画素に対応するＣＴ値それぞれから、血管領域特定部１５３によって非血管領域として特定された範囲に含まれるＣＴ値を抽出して、平均値を算出する。そして、画素値設定部１５４は、算出した平均値をカーネルの中心の画素Ａに設定する。
【００５２】
同様に、画素値設定部１５４は、図６の下側の図に示すように、１画素分ずらして非血管領域の範囲が特定されたカーネルに含まれる９つの画素に対応するＣＴ値それぞれから、血管領域特定部１５３によって非血管領域として特定された範囲に含まれるＣＴ値を抽出して、平均値を算出する。そして、画素値設定部１５４は、算出した平均値をカーネルの中心の画素Ｂに設定する。
【００５３】
画素値設定部１５４は、血管領域特定部１５３によってカーネルごとに非血管領域に対応する範囲が特定されると、非血管領域として特定された範囲に含まれるＣＴ値の平均値を各カーネルそれぞれについて算出し、算出した平均値を各カーネルの中心の画素それぞれに設定する。これにより、各画素で表現される画像は、血管領域に対応する範囲のＣＴ値を除いた画像となる。すなわち、血管領域を除去した画像となる。
【００５４】
図１に戻って、表示制御部１５５は、画素値設定部１５４によって設定された平均値に対応する画素値を各画素から出力した画像を表示部１２０に表示させる。図７は、第１の実施形態に係る表示制御部１５５による制御によって表示される画像例を示す図である。ここで、図７においては、図７の（Ａ）に血管領域を除去していないＸ線ＣＴ画像を示し、図７の（Ｂ）に血管領域を除去したＸ線ＣＴ画像を示す。
【００５５】
例えば、表示制御部１５５は、血管領域を除去していない場合には、図７の（Ａ）に示すように、血管領域が高輝度で現されるＸ線ＣＴ画像を表示する。一方、上述した各部の処理により血管領域を除去した場合には、表示制御部１５５は、図７の（Ｂ）に示すように、血管領域の高輝度部分の輝度が抑制されたＸ線ＣＴ画像を表示する。
【００５６】
上述した制御部１５０の処理は、経時的に撮影されたボリュームデータそれぞれについて実行される。すなわち、各位相の画像それぞれについて、カーネルを用いた血管領域除去が実行される。従って、これらの画像を用いてパーフュージョン解析が実行された場合には、体動などの不随意な動きの有無に関わらず、各位相において血管領域の除去が確実に実行されたパーフュージョン画像を提供することが可能である。
【００５７】
なお、上述した例では、ＣＴ値を用いて血管領域の除去を行う場合について説明した。しかしながら、各画素における特徴量は、画素値を用いる場合であってもよい。すなわち、ＣＴ値に対応する画素値を用いて、非血管領域を特定（非血管領域に対応する画素値の範囲を特定）して、各画素における画素値を設定する場合であってもよい。
【００５８】
次に、図８を用いて、第１の実施形態に係る画像処理装置１００の処理について説明する。図８は、第１の実施形態に係る画像処理装置１００による処理の手順を示すフローチャートである。なお、図８においては、各処理に画素値を用いる場合について示す。また、図８においては、造影しながら経時的に収集された複数のボリュームデータから画像がそれぞれ生成され、画像取得部１５１によって生成された画像が取得された後の処理について示す。
【００５９】
図８に示すように、第１の実施形態に係る画像処理装置１００においては、カーネルサイズ決定部１５２が、１Ｐｈａｓｅ分の画像を取得する（ステップＳ１０１）。そして、カーネルサイズ決定部１５２は、画像ＳＤを算出して（ステップＳ１０２）、算出した画像ＳＤに基づいて、カーネルサイズを決定する（ステップＳ１０３）。
【００６０】
そして、血管領域特定部１５３は、カーネルサイズ分の画素値を取得して（ステップＳ１０４）、ヒストグラムを生成する（ステップＳ１０５）。その後、血管領域特定部１５３は、ヒストグラムにおける血管領域（非血管領域）に対応する範囲を特定する（ステップＳ１０６）。
【００６１】
そして、画素値設定部１５４は、血管領域特定部１５３によって特定された血管領域の範囲に含まれる画素値を除去した画素値の平均値（非血管領域の範囲に含まれる画素値の平均値）を算出して、算出した平均値をカーネルの中心の画素に適用する（ステップＳ１０７）。
【００６２】
そして、血管領域特定部１５３は、１Ｐｈａｓｅ分の画素全てに対して処理を行ったか否かを判定する（ステップＳ１０８）。ここで、１Ｐｈａｓｅ分の画素全てに対して処理を行っていないと判定した場合には（ステップＳ１０８否定）、血管領域特定部１５３は、ステップＳ１０４に戻って、移動した先のカーネルにおいて、カーネルサイズ分の画素値を取得する。
【００６３】
一方、１Ｐｈａｓｅ分の画素全てに対して処理を行ったと判定された場合には（ステップＳ１０８肯定）、カーネルサイズ決定部１５２は、全Ｐｈａｓｅ分の画像全てに対して処理が実行されたか否かを判定する（ステップＳ１０９）。
【００６４】
ここで、全Ｐｈａｓｅ分の画像全てに対して処理が実行されていないと判定した場合には（ステップＳ１０９否定）、カーネルサイズ決定部１５２は、ステップＳ１０１に戻って、未処理の１Ｐｈａｓｅ分の画像を取得する。一方、全Ｐｈａｓｅ分の画像全てに対して処理が実行したと判定された場合には（ステップＳ１０９肯定）、画像処理装置１００は、処理を終了する。
【００６５】
上述したように、第１の実施形態によれば、血管領域特定部１５３が、造影しながら経時的に収集された複数のボリュームデータそれぞれについて、カーネルごとに、カーネルに含まれるボクセルそれぞれの特徴量のヒストグラムにおいて、非血管領域に相当する特徴量の範囲を特定する。そして、画素値設定部１５４が、カーネルに含まれるボクセルそれぞれの特徴量のうち、血管領域特定部１５３によって特定された特徴量の範囲に含まれる特徴量を用いてカーネル内の特徴量を平滑化させる。従って、第１の実施形態に係る画像処理装置１００は、各位相の画像それぞれについて、各画素を非血管領域の範囲に相当する画素値から算出された値で設定することができ、血管領域を高精度に除去することを可能にする。その結果、第１の実施形態に係る画像処理装置１００は、パーフュージョン画像を用いた診断の診断能を向上させることを可能にする。
【００６６】
また、第１の実施形態によれば、血管領域特定部１５３は、カーネルに含まれるボクセルそれぞれの特徴量のヒストグラムにおいて、特徴量の最低値から所定の割合までの値の範囲を非血管領域に相当する特徴量の範囲として決定する。従って、第１の実施形態に係る画像処理装置１００は、血管領域に対応する範囲を効率よく除去することを可能にする。
【００６７】
また、第１の実施形態によれば、血管領域特定部１５３は、カーネルに含まれるボクセルそれぞれの特徴量のヒストグラムにおいて、各特徴量を最低値から順に加算し、加算後の標準偏差が所定の閾値を上回る前までに加算された特徴量の値から最低値までの範囲を非血管領域に相当する特徴量の範囲として決定する。従って、第１の実施形態に係る画像処理装置１００は、血管領域に対応する範囲を高精度で除去することを可能にする。
【００６８】
また、第１の実施形態によれば、血管領域特定部１５３は、複数のボリュームデータそれぞれについて、ボリュームデータに含まれるノイズに応じてカーネルのサイズを決定する。従って、第１の実施形態に係る画像処理装置１００は、位相ごとに適切なカーネルサイズを設定することを可能にする。
【００６９】
また、第１の実施形態によれば、血管領域特定部１５３は、複数のボリュームデータそれぞれの撮影条件に基づいて、ボリュームデータに含まれるノイズをそれぞれ算出する。従って、第１の実施形態に係る画像処理装置１００は、撮影条件によって変化するノイズを考慮したカーネルサイズを設定することを可能にする。
【００７０】
また、第１の実施形態によれば、血管領域特定部１５３は、複数のボリュームデータにおける任意の領域を用いてボリュームデータに含まれるノイズをそれぞれ算出する。従って、第１の実施形態に係る画像処理装置１００は、ユーザが設定した領域からノイズを算出することができ、画像の特徴を考慮したカーネルサイズを設定することを可能にする。
【００７１】
また、第１の実施形態によれば、血管領域特定部１５３は、複数のボリュームデータそれぞれに含まれる水ファントムの領域を用いてボリュームデータに含まれるノイズをそれぞれ算出する。従って、第１の実施形態に係る画像処理装置１００は、高精度にノイズを算出することができ、より適切なカーネルサイズを設定することを可能にする。
【００７２】
（第２の実施形態）
さて、これまで第１の実施形態について説明したが、上述した第１の実施形態以外にも、種々の異なる形態にて実施されてよいものである。
【００７３】
上述した第１の実施形態においては、画像処理装置１００がネットワークを介して医用画像診断装置や画像保管装置と接続され、通信部を介して画像を取得する場合について説明した。しかしながら、実施形態はこれに限定されるものではなく、例えば、操作者が所望する画像データがフレキシブルディスク（ＦＤ）、ＣＤ−ＲＯＭ、ＭＯ、ＤＶＤなどの記憶媒体を介して、記憶部１４０に格納される場合であっても適用可能である。また、本実施形態は、操作者が所望する画像データを記憶する記憶装置が、記憶部１４０以外に設置される場合であっても適用可能である。
【００７４】
上述した第１の実施形態では、Ｘ線ＣＴ装置によって撮影されＸ線ＣＴ画像を用いる場合について説明した。しかしながら、実施形態はこれに限定されるものではなく、例えば、ＭＲＩ装置によって撮影されたＭＲ画像を用いる場合であってもよい。
【００７５】
また、上述した第１の実施形態における画像処理装置１００の構成はあくまでも一例であり、各部の統合及び分離は適宜行うことができる。例えば、カーネルサイズ決定部１５２と血管領域特定部１５３とを統合したり、血管領域特定部１５３をヒストグラムを作成するヒストグラム作成部と領域特定部に分離したりすることが可能である。
【００７６】
以上説明したとおり、第１の実施形態及び第２の実施形態によれば、本実施形態の画像処理装置及びプログラムは、血管領域を高精度に除去することを可能にする。
【００７７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７８】
１００  画像処理装置
１５０  制御部
１５１  画像取得部
１５２  カーネルサイズ決定部
１５３  血管領域特定部
１５４  画素値設定部
１５５  表示制御部
【図１】
2014079317.tif 000003
【図２Ｂ】
2014079317.tif 000004
【図２Ｃ】
2014079317.tif 000005
【図５】
2014079317.tif 000006
【図６】
2014079317.tif 000007
【図７】
2014079317.tif 000008
【図８】
2014079317.tif 000009
【図２Ａ】
2014079317.tif 000010
【図３Ａ】
2014079317.tif 000011
【図３Ｂ】
2014079317.tif 000012
【図４】
2014079317.tif 000013